(57)【要約】【課題】第１通路の吸収液に対して第２通路の水分子等の混合媒体を出し入れさせて第１通路の吸収液の濃度を調整することができる吸収液濃度調整装置を提供する。【解決手段】この装置は、吸収液７０が流れる第１通路１と、ガス状または液状の混合媒体が流れる第２通路２と、第１通路１と第２通路２とを仕切る浸透隔壁３と、第１通路１、第２通路２および浸透隔壁３を有する基体４とを有する。浸透隔壁３は、吸収液７０の濃度に応じて第１通路１の吸収液７０に対して第２通路２の混合媒体を出し入れさせるように浸透させ、第１通路１の吸収液７０の濃度を調整する。【選択図】図１
2011169537.tif 000002
【特許請求の範囲】
【請求項１】
混合媒体に化学物質を溶解または分散させた吸収液が流れる第１通路と、
ガス状または液状の混合媒体が流れる第２通路と、
前記第１通路と前記第２通路とを仕切り、且つ、前記吸収液の濃度に応じて前記第１通路の前記吸収液に対して前記第２通路の前記混合媒体を出し入れさせるように浸透させて前記第１通路の前記吸収液の濃度を調整する混合媒体浸透性をもつ浸透隔壁と、
前記第１通路、前記第２通路および前記浸透隔壁を備える基体とを具備する吸収液濃度調整装置。
【請求項２】
請求項１において、前記第１通路の前記吸収液を加熱または冷却するように前記第１通路の前記吸収液に対して伝熱可能とされた温度調整要素が前記基体に設けられている吸収液濃度調整装置。
【請求項３】
請求項１または２において、前記第１通路は、第１通路入口と、第２通路出口と、前記第１通路入口と前記第２通路出口との間において複数個に分岐されて広面積化された分岐通路とを有しており、前記浸透隔壁は前記分岐通路に設けられている吸収液濃度調整装置。
【請求項４】
請求項１〜３のうちの一項において、前記温度調整要素は、前記吸収液が流れる前記第１通路に伝熱可能に設けられ液状またはガス状の温度調整媒体が流れる温度調整通路と、前記温度調整通路に前記温度調整媒体を供給する入口と、前記温度調整通路から前記温度調整媒体を排出させる出口とを有する吸収液濃度調整装置。
【請求項５】
請求項１〜４のうちの一項において、前記浸透隔壁は、前記吸収液に含まれている前記混合媒体を透過させる透過性と、前記吸収液に溶解または分散している化学物質の透過を抑制するバリヤ性とを有する吸収液濃度調整装置。
【請求項６】
請求項１〜５のうちの一項において、前記温度調整要素は、車両または産業機器から排出される排熱で加熱される吸収液濃度調整装置。
【請求項７】
請求項１〜６のうちの一項において、前記吸収液に前記混合媒体を吸収させることにより前記吸収液を希釈させる希釈器、または、前記混合媒体を吸収した前記吸収液を加熱させることにより前記吸収液に含まれる前記混合媒体を前記吸収液から排出させて前記吸収液を濃縮させる濃縮器に用いられる吸収液濃度調整装置。
【発明の詳細な説明】
【技術分野】
【０００１】
本発明は吸収式ヒートポンプシステム等に用いられる吸収液濃度調整装置に関する。
【背景技術】
【０００２】
特許文献１には、トレイに溜まった吸収液を、トレイの底部の貫通孔から熱交換器に滴下させて付着させる吸収式冷温水機の液散布装置が開示されている。吸収液は表面張力が高いため、熱交換器に付着して堆積する。このとき、冷媒蒸気を吸収して発熱するため、熱交換器を流れる冷却水により冷却させる。
【０００３】
特許文献２には、臭化リチウム水溶液と真空室とを分離膜で区画し、真空室を真空にすることにより、臭化リチウム水溶液に含まれている水を分離膜に透過させることにより、臭化リチウム水溶液を濃縮させる吸収式冷凍機が開示されている。
【先行技術文献】
【特許文献】
【０００４】
【特許文献１】特開２０００−１７９９８９号公報
【特許文献２】特開平１−２１９４５３号公報
【発明の概要】
【発明が解決しようとする課題】
【０００５】
特許文献１，２は、吸収液の濃度を調整するためには、必ずしも充分ではない。
【０００６】
本発明は上記した実情に鑑みてなされたものであり、第１通路の吸収液に対して第２通路の水分子等の混合媒体を出し入れさせて第１通路の吸収液の濃度を効率よく調整することができる吸収液濃度調整装置を提供することを課題とする。
【課題を解決するための手段】
【０００７】
本発明に係る吸収液濃度調整装置は、（ｉ）混合媒体に化学物質を溶解または分散させた吸収液が流れる第１通路と、（ｉｉ）ガス状または液状の混合媒体が流れる第２通路と、（ｉｉｉ）第１通路と第２通路とを仕切り、且つ、吸収液の濃度に応じて第１通路の吸収液に対して第２通路の混合媒体を出し入れさせるように浸透させて第１通路の吸収液の濃度を調整する混合媒体浸透性をもつ浸透隔壁と、（ｉｖ）第１通路、第２通路および浸透隔壁を有する基体とを具備する。混合媒体とは、化学物質を溶解または分散させ得ると共に流動可能な流動媒体を意味する。例えば、水分子の集合体が挙げられる。
【０００８】
浸透隔壁は、第１通路と第２通路とを仕切り、第１通路の吸収液の濃度に応じて第１通路の吸収液に対して第２通路の混合媒体を出し入れさせるように浸透させる。これにより第１通路の吸収液の濃度を第２通路の混合媒体で調整する。ここで、第２通路の水分子等の混合媒体を第１通路の吸収液に吐出させるように浸透させる場合には、第１通路の吸収液の濃度が希釈される。また、第１通路の吸収液に含まれている水分子等の混合媒体を第２通路に吐出させる場合には、第１通路の吸収液の濃度が濃縮される。
【発明の効果】
【０００９】
本発明によれば、浸透隔壁は第１通路と第２通路とを仕切り、第１通路の吸収液の濃度に応じて、第１通路の吸収液に対して第２通路の混合媒体を出し入れさせるように浸透させて、第１通路の吸収液の濃度を効率よく調整することができる。ここで、第２通路の混合媒体を第１通路の吸収液に吐出させるように浸透させる場合には、第１通路の吸収液の濃度が希釈される。また、第１通路の吸収液に含まれている混合媒体を第２通路に吐出させる場合には、第１通路の吸収液の濃度が濃縮される。
【図面の簡単な説明】
【００１０】
【図１】実施形態１に係り、再生器の断面図である。
【図２】実施形態１に係り、図１のＩＩ−ＩＩ線に沿った断面図である。
【図３】実施形態２に係り、図１のＩＩＩ−ＩＩＩ線に沿った断面図である。
【図４】実施形態３に係り、再生器の断面図である。
【図５】実施形態３に係り、図１のＶ−Ｖ線に沿った断面図である。
【図６】実施形態４に係り、図１のＶＩ−ＶＩ線に沿った断面図である。
【図７】実施形態５に係り、再生器の断面図である。
【図８】実施形態６に係り、吸収器の断面図である。
【図９】実施形態７に係り、再生器の要部の断面図である。
【図１０】実施形態８に係り、吸収器の要部の断面図である。
【図１１】実施形態９に係り、吸収式ヒートポンプシステムの概念図である。
【発明を実施するための形態】
【００１１】
吸収液濃度調整装置は、吸収液が流れる第１通路と、ガス状または液状の混合媒体が流れる第２通路と、第１通路と第２通路とを仕切るように基体に設けられた浸透隔壁と、第１通路、第２通路および浸透隔壁を備える基体とを有する。浸透隔壁は、第１通路の吸収液の濃度に応じて、第１通路の吸収液に対して第２通路の混合媒体を出し入れさせるように浸透させる。これにより第１通路の吸収液の濃度を調整することができる。吸収液は、水分子等の混合媒体の集合体（一般的には、液相状の水）に化学物質を溶解または分散させたものであり、水分子等の混合媒体を吸収可能である。吸収液としては臭化リチウム水溶液が例示される。この場合、化学物質は臭化リチウムとなり、混合媒体は水分子となる。第２通路を流れる混合媒体としては、吸収液を構成する混合媒体に相当するものであり、ガス状または液状の水分子の集合体（水蒸気および／または液相状の水）が例示される。
【００１２】
本発明の一視点によれば、第１通路は、第１通路入口と、第２通路出口と、第１通路入口と第２通路出口との間において複数個に分岐されて広面積化された分岐通路とを有しており、浸透隔壁は分岐通路に設けられている。分岐通路が複数個に分岐されているため、吸収液が流れる第１通路は広面積化されている。このため、第１通路と第２通路とを区画する浸透隔壁も広面積化されている。従って、第２通路の混合媒体が浸透隔壁を介して第１通路の吸収液に出入りする表面積を増加でき、浸透隔壁における混合媒体の浸透量を増加できる利点が得られる。なお第１通路において吸収液が流れる方向は特に限定されず、上向き、下向き、横向き、蛇行状などを選択できる。
【００１３】
好ましくは、第１通路の吸収液を加熱または冷却するように第１通路の吸収液に対して伝熱可能に設けられた温度調整要素が基体に配設されている。温度調整要素は、第１通路の吸収液の温度を昇温側または降温側に調整して浸透隔壁における混合媒体浸透性を促進させる。温度調整要素により第１通路の吸収液が加熱されると、第１通路の吸収液に含まれている水分子等の混合媒体が隔壁をこれの厚み方向に通過し、第２通路に流入する。これにより第１通路の吸収液における水分子等の混合媒体の濃度が減少し、第１通路の吸収液が濃縮される。また、第２通路の水分子等の混合媒体が隔壁をこれの厚み方向に透過して第１通路の吸収液に吸収され、第１通路の吸収液が希釈化される。このように吸収液が希釈化されるとき、吸収液が発熱することがある。この場合、温度調整要素により第１通路の吸収液が冷却されると、第１通路の吸収液の過剰高温化が抑制され、水分子等の混合媒体を吸収液に吸収させる吸収処理を長時間にわたり良好に実行できる。
【００１４】
好ましくは、温度調整要素は、吸収液が流れる第１通路に伝熱可能に設けられ液状またはガス状の温度調整媒体が流れる温度調整通路と、温度調整通路に温度調整媒体を供給する入口と、温度調整通路から温度調整媒体を排出させる出口とを有する。温度調整通路を流れる温度調整媒体の温度を調整すれば、第１通路の吸収液の温度を調整できる。この場合、第１通路の濃度の調整に有利である。なお温度調整媒体が流れる方向は特に限定されず、上向き、下向き、横向き、蛇行状などを選択できる。
【００１５】
好ましくは、浸透隔壁は、吸収液に混入している混合媒体を透過させる透過性と、吸収液に溶解または分散している化学物質の透過を抑制するバリヤ性とを有する。浸透隔壁は、多数の微小（マイクロメートルレベル、ナノメートルレベル）の細孔を有する多孔質材料で形成されていることができる。多孔質材料としては、多孔質セラミックス、アルマイトのポア層、活性炭の微粉末の集合体を焼成させた焼成体等が例示され、更に、逆浸透膜、半透膜等の濾過膜が例示される。多孔質セラミックスとしては、セラミックスの粒子同士を結合させたものが挙げられる。セラミックスとしては、シリカ、アルミナ、炭化珪素、窒化珪素、マグネシア、ジルコニア等が挙げられる。濾過膜は、小さな分子を透過させるものの、大きな分子を透過させない膜である。逆浸透膜、半透膜等の濾過膜の材質としては、芳香族ポリアミド、酢酸セルロース、ポリビニアルアルコール、ポリスルホン、ポリプロピレン、ポリオレフィン、ポリカーボネイト、ポリアクリロニトリル、ポリテトラフルオロエチレン、ポリフッ化ビニリデン等の高分子系材料が例示される。但しこれらに限定されるものではない。
【００１６】
好ましくは、浸透隔壁は、第１通路において吸収液が流れる方向に対して交差する方向に沿って、第１通路の吸収液に対して第２通路の混合媒体を出し入れさせる。
【００１７】
好ましくは、温度調整要素は、車両または産業機器から排出される排熱で加熱される。この場合も温度調整要素を排熱で直接的に加熱させても良いし、あるいは、温度調整要素を排熱で間接的に加熱させても良い。好ましくは、吸収液に混合媒体を吸収させることにより吸収液を希釈させる希釈器、または、混合媒体を吸収した吸収液を加熱させることにより吸収液に含まれる混合媒体を吸収液から排出させて吸収液を濃縮させる濃縮器に用いられる。希釈器および濃縮器はヒータポンプシステムに適用できる。
【００１８】
（実施形態１）
図１および図２は実施形態１の概念を示す。図１は吸収液濃度調整装置の断面を模式的に示す。図２は図１におけるＩＩ−ＩＩ線に沿った断面を模式的に示す。図１および図２は概念図であり、細部の寸法等まで規定するものではない。吸収液濃度調整装置は、吸収式ヒートポンプシステム等において希釈された吸収液を濃縮して再生させる再生器（濃縮器）に適用されるものであり、図１に示すように、第１通路１と第２通路２と浸透隔壁３と基体４とを有する。
【００１９】
第１通路１は吸収液７０を流す。吸収液７０は臭化リチウム水溶液である。臭化リチウム水溶液は、水（溶媒）に臭化リチウム（化学物質）を溶解させた水溶液である。図１に示すように、第１通路１は、第１通路入口１０と、第１通路出口１１と、第１通路入口１０と第１通路出口１１との間において複数個に分岐された分岐通路１２とを有する。第１通路１において、吸収液７０はポンプ等の搬送要素１９により搬送され、第１通路入口１０、複数個の分岐通路１２、第１通路出口１１の順に流れる。ここで、分岐通路１２は複数個に分岐されているため、広面積化されている。この場合、後述するように浸透隔壁３の面積も広面積化され、水分子７３を浸透させる能力を高め得る。このように吸収液７０を複数個の分岐通路１２により分岐させて流すため、吸収液７０の流量が大きいときであっても、吸収液濃度調整装置の濃度調整を短時間に行うことができる。よって吸収液濃度調整装置の小型化に貢献できる。
【００２０】
図１に示すように、第２通路２は基体４において第１通路１に隣接されている。第２通路２は、混合媒体として機能する水分子７３の集合体、すなわち、ガス状（水蒸気）または液相状の水を流す。第２通路２は吸引部２４に繋がる。吸引部２４は、第２通路２の水分子７３の集合体（水蒸気または液相状の水）を吸引させる吸引作用を第２通路２に作用させる。このような吸引部２４としてはポンプ、エゼクタ、吸引ファンが例示される。
【００２１】
図１および図２に示すように、浸透隔壁３は第１通路１と第２通路２とを仕切るように配設されている。浸透隔壁３は、浸透隔壁３を厚み方向に貫通する多数の細孔３０を有する。この結果、浸透隔壁３は選択透過性を有しており、吸収液７０に混入している水分子（混合媒体）を透過させる透過性と、吸収液７０に溶解または分散している臭化リチウム（化学物質）の透過を抑制するバリヤ性とを併有する。すなわち、浸透隔壁３は、第１通路１の吸収液７０から第２通路２に水分子７３（混合媒体）を吐出させるように浸透させる水分子浸透性（混合媒体浸透性）を有する。ここで、一般的には、臭化リチウムの分子径は水分子よりも大きい。浸透隔壁３の水分子浸透性は、基本的には、第１通路１と第２通路２とにおける水分子（水）の濃度差に応じる。このように浸透隔壁３は、第１通路１の吸収液７０に含まれる水の濃度を調整し、ひいては吸収液７０の濃度を濃縮させるように調整する。ここで、浸透隔壁３は、第１通路１において吸収液７０が流れる方向（矢印Ａ１方向）に対して交差する方向（矢印Ｂ１方向）に沿って、第１通路１の吸収液７０に含まれる水分子７３（混合媒体）を第２通路２に向けて吐出させることができる。
【００２２】
本実施形態によれば、上記したように第１通路１は分岐された複数の分岐通路１２を有するため、吸収液７０が流れる第１通路１は広面積化されている。このため、第１通路１と第２通路２とを区画する浸透隔壁３も広面積化されている。従って、第２通路２の水分子７３（混合媒体）が浸透隔壁３を介して第１通路１の吸収液７０に出入りする表面積を増加でき、ひいては、浸透隔壁３における水分子７３の浸透量を増加できる利点が得られる。
【００２３】
上記した浸透隔壁３は、多数の微小（マイクロメートルレベル、ナノメートルレベル）の細孔３０を有する多孔質材料で形成されていることができる。多孔質材料としては、多孔質セラミックス、アルマイトのポア層、活性炭の微粉末の集合体を焼成させた焼成体等が例示され、更に、逆浸透膜、半透膜等の濾過膜が例示される。多孔質セラミックスとしては、セラミックスの粒子同士を結合させたものが挙げられる。セラミックスとしては、シリカ、アルミナ、炭化珪素、窒化珪素、マグネシア、ジルコニア等が挙げられる。半透膜は、小さな分子を透過させるものの、大きな分子を透過させない膜である。逆浸透膜、半透膜等の濾過膜の材質としては、芳香族ポリアミド、酢酸セルロース、ポリビニアルアルコール、ポリスルホン、ポリプロピレン、ポリオレフィン、ポリカーボネイト、ポリアクリロニトリル、ポリテトラフルオロエチレン、ポリフッ化ビニリデン等の高分子系材料が例示される。但し、これらに限定されるものではない。
【００２４】
図１に示すように、基体４は、第１通路１、第２通路２および浸透隔壁３を有する。更に基体４には温度調整要素５が配設されている。具体的には、基体４は、第１通路１と第２通路２とを区画する第１区画壁４１と、第１通路１と温度調整要素５とを区画する第２区画壁４２とを有する。第１区画壁４１には、細孔３０をもつ膜状をなす浸透隔壁３が設けられている。浸透隔壁３は所要の剛性をもち、第１通路１と第２通路２とを仕切る。温度調整要素５は、第１通路１を流れる吸収液７０を加熱できるように、第１通路１を流れる吸収液７０に対して伝熱可能に設けられている。温度調整要素５は、第１通路１の吸収液７０の温度を加熱調整して浸透隔壁３における水分子浸透性（混合媒体浸透性）を促進させる。ここで、図１に示すように、温度調整要素５は、吸収液７０が流れる第１通路１に伝熱可能に隣接され加熱流体５６（温度調整媒体）が流れる温度調整通路５０と、温度調整通路５０に加熱流体５６を供給する入口５１をもつ上流通路５２と、温度調整通路５０から加熱流体５６を排出させる出口５３をもつ下流通路５４とを有する。図１に示すように、温度調整通路５０は温度調整面積を増加させるように複数個に分岐されており、第１通路１の分岐通路１２に伝熱可能に隣接されている。これにより吸収液が流れる分岐通路１２を効率よく加熱できる。
【００２５】
図１に示すように、温度調整通路５０の入口５１は、車両または産業機器の機関であるエンジン６０（排熱部）を冷却するエンジン冷却部６３に循環通路６１を介して繋がる。具体的には、循環通路６１は、エンジン冷却部６３の出口ポート６３ｐから外部に導出され、温度調整要素５およびラジエータ６４を介して入口ポート６３ｉからエンジン冷却部６３に帰還する。循環通路６１にはポンプ６２（温度調整媒体搬送要素）が設けられている。ポンプ６２が駆動すると、エンジン６０から受熱した暖かい加熱流体５６（エンジン冷却液）がエンジン冷却部６３から循環通路６１に搬送され、更に、入口５１から温度調整通路５０に流れる。
【００２６】
温度調整要素５を矢印Ｅ１方向に流れる加熱流体５６により、第１通路１の吸収液７０が所定温度域に加熱される。このため、第１通路１を流れる吸収液７０に含まれている水分子７３は、隔壁の細孔３０をこれの厚み方向（矢印Ｂ１方向）に通過し、第２通路２に吐出される。これにより第１通路１の吸収液７０を構成する混合媒体である水分子７３が減少する。よって第１通路１の吸収液７０が濃縮される。このように温度調整要素５を流れる加熱流体５６により第１通路１の吸収液７０が加熱されるため、第１通路１の吸収液７０に含まれる水分子７３が浸透隔壁３の細孔３０を通過して第２通路２に流入し易くなる。このため第１通路１の吸収液７０の濃縮化に有利である。
【００２７】
本実施形態によれば、吸引部２４が作動して第２通路２に吸引作用を与えるため、第２通路２の水分子７３が低減される。従って、第１通路１および第２通路２における水分子（水）の濃度差が連続的に確保され、換言すれば、第１通路１の吸収液７０の濃度に応じて、第１通路１の吸収液７０の濃縮処理を連続的に実行できる。ここで、温度調整通路５０を流れる加熱流体５６（温度調整媒体）の温度が調整されると、第１通路１の吸収液７０の温度を調整でき、ひいては吸収液７０の濃縮速度を調整できる。具体的には、温度調整通路５０を流れる加熱流体５６の温度を相対的に高温側に調整すれば、第１通路１の吸収液７０の温度を相対的に高温側に調整でき、ひいては吸収液７０の濃縮速度を増加するように調整できる。また温度調整通路５０を流れる温度調整媒体の温度を相対的に低温側に調整すれば、第１通路１の吸収液７０の温度を相対的に低温側に調整でき、ひいては吸収液７０の濃縮速度を減少するように調整できる。従って加熱流体５６を加熱させるヒータ等を循環通路６１等に適宜設けることもできる。但しヒータ等を設けずとも良い。
【００２８】
図２に示すように、吸収液７０が流れる第１通路１は、第２通路２と温度調整通路５０とによって挟まれている。このため温度調整通路５０の加熱流体５６で加熱された第１通路１の吸収液７０に含まれる水分子７３を、第２通路２に速やかに吐出できる利点が得られる。ここで図２に示すように、温度調整通路５０は断面円形状をなすパイプ形状をなしている。第１通路１の分岐通路１２は断面においてリング形状をなしており、断面において温度調整通路５０の外周を１周するようにリング状に覆っている。このように第２通路２は分岐通路１２および浸透隔壁３を外側から包囲している。従って図２に示すように、浸透隔壁３も分岐通路１２をこれの断面で１周するようにリング状に包囲している。これによりパイプ形状の分岐通路１２の全周にわたり浸透隔壁３が設けられており、水分子７３を浸透させる面積が広く確保されている。但しこれに限定されるものではなく、場合によっては、分岐通路１２の周方向の一部に浸透隔壁３が設けられていても良い。上記した装置は、混合媒体を吸収した吸収液７０を加熱させることにより吸収液７０に含まれる水分子７３を吸収液７０から吐出させて吸収液７０を濃縮させる濃縮器に適用できる。このような濃縮器は吸収式ヒータポンプシステムにおける再生器に相当する。
【００２９】
本実施形態によれば、図１に示すように、第１通路１の第１通路入口１０は基体４の下部に形成され、第１通路１の第１通路出口１１は基体４の上部に形成されている。このため、第１通路１において吸収液７０は第１通路１を下部から上部に向けて上向き（矢印Ａ１方向）に流れる。このため、吸収液７０は第１通路１において急激に流れることが抑制される。よって第１通路１を流れる吸収液７０が浸透隔壁３の表面に効率よく接触することができる利点が得られる。
【００３０】
また本実施形態によれば、入口５１は基体４の下部に形成され、出口５３は基体４の上部に形成されているため、加熱流体５６は温度調整通路５０を下部から上部に向けて重力に抗して上向き（矢印Ｅ１方向）に流れる。このため、加熱流体５６を温度調整通路５０においてまんべんなくできるだけ均一に流すのに有利となる。よって温度調整通路５０を流れる加熱流体５６の熱を効率よく第１通路１の吸収液７０に伝達させることができる利点が得られる。
【００３１】
使用時について更に説明を加える。使用時には、吸引部２４を作動させて第２通路２に吸引作用を付加させつつ、希釈化された吸収液７０が搬送要素１９（ポンプ等）により第１通路入口１０から第１通路１に供給される。第１通路１に供給された吸収液７０は、複数個の分岐通路１２に分岐され、各分岐通路１２において浸透隔壁３の延設方向に沿って、つまり、矢印Ａ１方向に沿って流れ、第１通路出口１１から外部に吐出される。このように吸収液７０は複数個の分岐通路１２内を浸透隔壁３とほぼ平行に沿って流れる。このとき、第１通路１を流れる吸収液７０と第２通路２とにおける水分子７３の濃度差に基づいて、第１通路１の吸収液７０の濃度に応じて、第１通路１の吸収液７０に含まれる混合媒体としての水分子７３が浸透隔壁３の細孔３０を矢印Ｂ１方向（浸透隔壁３の厚み方向）に透過して第２通路２に流入する。
【００３２】
殊に本実施形態によれば、温度調整通路５０により第１通路１の吸収液７０が加熱されるため、第１通路１の吸収液７０から水分子７３を効率よく脱離できる。故に、浸透隔壁３の細孔３０に矢印Ｂ１方向に透過させて第２通路２に効率よく流入させることができる。このような本実施形態によれば、第１通路１の吸収液７０に過大な圧力をかけずとも良いため、浸透隔壁３に過大な圧力は印加されることが抑制され、浸透隔壁３の保護性および耐久性を高めることができる。
【００３３】
第２通路２に流入した水分子７３は、第２通路２の水分子流通口２１から矢印Ｆ１方向（図１参照）に沿って吐出される。上記したように第１通路１の吸収液７０に含まれる水分子７３が浸透隔壁３の細孔３０を矢印Ｂ１方向に透過して第２通路２に吐出されると、第１通路１の吸収液７０に含まれる水分子７３は低減されるため、吸収液７０は濃縮され、臭化リチウムの濃度は相対的に高い濃度となり、吸収液７０が再生させる。上記したように本実施形態によれば、第１通路１を流れる希釈化されている吸収液７０における水分子７３を第２通路２に選択的に吐出させて吸収液７０を濃縮させて再生できる。
【００３４】
上記したように本実施形態によれば、搬送要素１９が作動して吸収液７０を第１通路１に流せば、第１通路１を流れる吸収液７０に含まれる水分子７３を第２通路２に吐出させて吸収液７０を濃縮させて再生できる。
【００３５】
本実施形態によれば、図２は、分岐通路１２の吸収液７０および温度調整通路５０の加熱流体５６が流れる方向（矢印Ａ１方向）に沿って交差（直交）する方向に沿って切断した断面を示す。この断面（図２）に示すように、第１通路１の１個の分岐通路１２の流路断面積をＳ１２とし、１個の温度調整通路５０の流路断面積をＳ５０とすると、Ｓ１２よりもＳ５０は大きく設定されている（Ｓ１２＜Ｓ５０）。従って、温度調整通路５０を流れる加熱流体５６によって分岐通路１２の吸収液７０を効率よく短時間に加熱でき、水分子７３を浸透隔壁３を介して第２通路２に向けて透過させるのに有利である。但し、Ｓ１２＜Ｓ５０に限定されず、場合によっては、Ｓ１２＝Ｓ５０、Ｓ１２≒Ｓ５０、Ｓ１２＞Ｓ５０としても良い。
【００３６】
また本実施形態によれば、図２において箱状の第２通路２の流路断面積をＳ２とすると、Ｓ２は、分岐通路１２の合計流路断面積（Ｓ１２×ｎ，ｎ＝分岐通路１２の数個）よりも大きく設定され、且つ、温度調整通路５０の合計流路断面積（Ｓ５０×ｍ，ｍ＝温度調整通路の数個）よりも大きく設定されている。このため、第２通路２の容積が大きく確保され、第２通路２における水分子７３の濃度を小さくできる。ひいては第１通路１と第２通路２における水分子７３の濃度差を大きくさせるのに有利であり、かかる濃度差に基づいて第１通路１の吸収液７０に含まれている水分子７３を浸透隔壁３を介して第２通路２に向けて透過させるのに有利である。但し、Ｓ２＝Ｓ１２×ｎ，Ｓ２＝Ｓ５０×ｍとしても良く、Ｓ２≒Ｓ１２×ｎ，Ｓ２≒Ｓ５０×ｍとしても良く、Ｓ２＜Ｓ１２×ｎ，Ｓ２＜Ｓ５０×ｍとしても良い。
【００３７】
本装置が車両に搭載される場合には、車量走行時の振動、車両旋回時の遠心力、車両加速および減速時における慣性力等といった外力が本装置に作用することを期待できる。この場合、万一、臭化リチウムなどの化学物質などの堆積物が浸透隔壁３の表面に付着するようなときであっても、外力が本装置に作用すれば、堆積物を浸透隔壁３の表面から離間させることを期待できる。この場合、浸透隔壁３の浸透性を長期にわたり良好に維持できる。
【００３８】
なお、吸収液７０が第１通路１を流れる速度が過剰であると、吸収液７０が浸透隔壁３の表面に効果的に接触しないおそれがある。そこで本実施形態によれば、第１通路１の第１通路入口１０は基体４の下部に形成され、第１通路１の第１通路出口１１は基体４の上部に形成されている。このため、第１通路１において吸収液７０は、第１通路１を下部から上部に向けて、重力に抗して上向き（矢印Ａ１方向）に流れる。この場合、吸収液７０を浸透隔壁３の表面に効果的に接触させて濡らせることができる。故に、浸透隔壁３をこれの厚み方向に透過させた第２通路２の水分子７３を第１通路１の吸収液７０に吸収させるのに有利である。
【００３９】
但し、これに限定されず、第１通路１の第１通路入口１０は基体４の上部に形成され、第１通路１の第１通路出口１１は基体４の下部に形成されていても良い。この場合、第１通路１において吸収液７０は第１通路１を上部から下部に向けて下向きに流れる。あるいは、図１は水平方向に沿った断面とされていても良い。また本実施形態によれば、温度調整要素５においては、入口５１は基体４の下部に形成され、出口５３は基体４の上部に形成されているが、これに限らず、入口５１は基体４の上部に形成され、出口５３は基体４の下部に形成されていても良い。なお図１において、３ｕは浸透隔壁３の上流領域、３ｄは浸透隔壁３の下流領域、１２ｕは分岐通路１２の上流領域、１２ｄは分岐通路１２の下流領域を示す。
【００４０】
（実施形態２）
図３は実施形態２の概念を示す。図３は図１におけるＩＩＩ−ＩＩＩ線に沿った断面を模式的に示す。本実施形態は実施形態１と基本的には同様の構成、同様の作用効果を有する。以下、相違する部分を中心として説明する。図３に示すように、断面において、温度調整要素５のうち複数個に分岐された温度調整通路５０は、それぞれ断面四角形状をなす角パイプとされており、一辺としての短辺５０ｍおよび他辺としての長辺５０ｎを有する。温度調整通路５０の長辺５０ｎの両側には第１通路１の分岐通路１２が伝熱可能に配置されている。分岐通路１２の断面も偏平な四角形状とされている。図３に示すように、第１通路１の分岐通路１２は、加熱流体５６が流れる温度調整通路５０と第２通路２とで挟まれている。これにより温度調整通路５０を流れる加熱流体５６により第１通路１の吸収液７０を効果的に加熱できる。ひいては吸収液７０に含まれている水分子７３を第２通路２に効果的に吐出させて吸収液７０を効率よく濃縮できる。
【００４１】
（実施形態３）
図４および図５は実施形態３の概念を示す。図５は図４におけるＶ−Ｖ線に沿った断面を模式的に示す。本実施形態は前記した実施形態１と基本的には同様の構成、同様の作用効果を有するため、共通する機能を奏する部位には共通の符号を付する。以下、相違する部分を中心として説明する。本実施形態に係る吸収液濃度調整装置は、吸収式ヒートポンプシステム等において濃縮された吸収液に水を吸収させて希釈させる吸収器（希釈器）に適用される。第１通路１は吸収液７０を流す。吸収液７０は臭化リチウム水溶液である。図４に示すように、第１通路１は、第１通路入口１０と、第１通路出口１１と、第１通路入口１０と第２通路２出口との間において複数個に分岐された分岐通路１２とを有する。分岐通路１２は複数個に分岐されているため、広面積化されている。このように吸収液７０を分岐通路１２により分岐させて流すため、浸透隔壁３による吸収面積を増加できる。よって吸収液７０の流量が大きいときであっても、吸収液濃度調整装置の濃度調整を短時間に行うことができる。図４に示すように、第２通路２は第１通路１に隣接されている。第２通路２は、混合媒体として機能する水分子７３の集合体、すなわち、ガス状（水蒸気）または液相状の水を流す。従って第２通路２は、ガス状（水蒸気）または液相状の水を第２通路２に供給する供給部２４Ｂ（ポンプ、コンプレッサ、ブロア、送風ファン等）に繋がる。
【００４２】
本実施形態によれば、上記したように第１通路１は分岐された複数の分岐通路１２を有するため、吸収液７０が流れる第１通路１の分岐通路１２は広面積化されている。このため、分岐通路１２を区画する浸透隔壁３も広面積化されている。従って、第２通路２の水分子７３（混合媒体）が浸透隔壁３を介して第１通路１の吸収液７０に出入りする表面積を増加できる。ひいては、浸透隔壁３における水分子７３の浸透量を増加できる利点が得られる。
【００４３】
図４に示すように、浸透隔壁３は第１通路１と第２通路２とを仕切るように配設されている。浸透隔壁３は、第１通路１と第２通路２とにおける水分子（水）の濃度差に応じて、即ち、第１通路１の吸収液７０の濃度に応じて、第１通路１の吸収液７０に第２通路２の水分子７３（混合媒体）を供給させるように浸透させる水分子浸透性（混合媒体浸透性）を有する。従って浸透隔壁３は、浸透隔壁３を厚み方向に貫通する多数の細孔３０を有する。このように浸透隔壁３は、第１通路１の吸収液７０に含まれる水の濃度を調整し、ひいては第１通路１の吸収液７０の濃度を希釈調整する。浸透隔壁３は、第１通路１において吸収液７０が流れる方向（矢印Ａ１方向）に対して交差する方向（矢印Ｂ２方向）に沿って、第２通路２の水分子７３（混合媒体）を第１通路１の吸収液７０に流入させる。
【００４４】
図４に示すように、基体４には温度調整要素５が配設されている。具体的には、基体４は、第１通路１と第２通路２とを区画する第１区画壁４１と、第１通路１と温度調整要素５とを区画する第２区画壁４２とを有する。第１区画壁４１には、細孔３０をもつ膜状をなす浸透隔壁３が設けられている。浸透隔壁３は、第１通路１および第２通路２に対面しつつ、第１通路１および第２通路２を仕切っている。
【００４５】
図４に示すように、温度調整要素５は、第１通路１の吸収液７０を加熱するように第１通路１の吸収液７０に対して伝熱可能に設けられている。温度調整要素５は、第１通路１の吸収液７０の温度を冷却調整することにより、浸透隔壁３における水分子浸透性（混合媒体浸透性）を促進させる。ここで図４に示すように、温度調整要素５は、吸収液７０が流れる第１通路１に伝熱可能に設けられ冷却流体５８（温度調整媒体）が流れる温度調整通路５０と、温度調整通路５０に冷却流体５８を供給する入口５１をもつ上流通路５２と、温度調整通路５０から加熱流体５６を排出させる出口５３をもつ下流通路５４とを有する。温度調整通路５０は温度調整面積を増加させるように複数個に分岐されており、第１通路１の分岐通路１２に伝熱可能に隣接されている。
【００４６】
温度調整要素５の入口５１は車両の放熱部であるラジエータ６４に繋がり、ラジエータ６４で冷却された冷却流体５８（エンジン冷却液）で冷却される。具体的には、エンジン６０を冷却させるエンジン冷却部６３から排出された冷却流体５８（エンジン冷却液）は、ポンプ６２（搬送源）の駆動により循環通路６１を介してラジエータ６４に至り、ラジエータ６４で冷却された後、入口５１から温度調整通路５０に供給され、第１通路１の吸収液７０を冷却させる。上記した装置は、吸収液７０に水分子７３を吸収させることにより吸収液７０を希釈化させる希釈器に適用でき、これは吸収式ヒータポンプシステムにおける吸収器に相当する。
【００４７】
本実施形態によれば、図４に示すように、第１通路１の第１通路入口１０は基体４の下部に形成され、第１通路１の第１通路出口１１は基体４の上部に形成されているため、第１通路１において吸収液７０は第１通路１を下部から上部に向けて上向き（矢印Ａ１方向）に流れる。このため、吸収液７０は第１通路１において急激に流れることが抑制される。よって第１通路１を流れる吸収液７０が浸透隔壁３の表面に効率よく接触することができる利点が得られる。この場合、第１通路１の吸収液７０に水分子７３を吸収させるのに有利である。
【００４８】
本実施形態によれば、入口５１は基体４の下部に形成され、出口５３は基体４の上部に形成されているため、冷却流体５８（温度調整媒体）は温度調整通路５０を下部から上部に向けて上向き（矢印Ｅ１方向）に流れる。このため、冷却流体５８は温度調整通路５０において急激に流れることが抑制される。よって温度調整通路５０を流れる冷却流体５８の冷熱を効率よく第１通路１に伝達させることができる利点が得られる。この場合、第１通路１の吸収液７０を効果的に冷却でき、吸収液７０の過剰高温化を防止できる。
【００４９】
使用時について説明を更に加える。供給部２４Ｂからガス状または液相状の水が第２通路２に供給させる。更に、濃縮された吸収液７０が搬送要素１９Ｂにより第１通路入口１０から第１通路１に供給される。更に吸収液７０は第１通路１の分岐通路１２を浸透隔壁３に沿って矢印Ａ１方向に沿って流れ、第１通路出口１１から外部に吐出される。このように吸収液７０が第１通路１の分岐通路１２を浸透隔壁３に沿って流れるとき、第１通路１と第２通路２とにおける水の濃度差等に基づいて、第２通路２を流れる水蒸気に含まれる水分子７３が浸透隔壁３の細孔３０を矢印Ｂ２方向に透過して第１通路１の吸収液７０に流入する。上記したように第２通路２を流れる蒸気に含まれる水分子７３が浸透隔壁３の細孔３０を矢印Ｂ２方向に透過して第１通路１に流入すると、水分子７３は第１通路１の吸収液７０に吸収されるため、吸収液７０は希釈化される。希釈化された吸収液７０は第１通路出口１１から外部に吐出される。
【００５０】
吸収液７０が水分子７３を吸収するとき、熱が発生する。この場合、温度調整通路５０に冷却流体５８が流れるため、吸収液７０の過剰高温化が抑制され、水分子７３の吸収を長時間にわたり連続的に良好に行うことができる。
【００５１】
本実施形態によれば、図５は、分岐通路１２の吸収液７０および温度調整通路５０の加熱流体５６が流れる方向（矢印Ａ１方向）に沿って交差（直交）する方向に沿って切断した断面を示す。この断面（図５）に示すように、第１通路１の１個の分岐通路１２の流路断面積をＳ１２とし、１個の温度調整通路５０の流路断面積をＳ５０とすると、Ｓ１２よりもＳ５０は大きく設定されている（Ｓ１２＜Ｓ５０）。従って、温度調整通路５０を流れる冷却流体５８によって分岐通路１２の吸収液７０を効率よく短時間に冷却できる。但し、Ｓ１２＜Ｓ５０に限定されず、場合によっては、Ｓ１２＝Ｓ５０、Ｓ１２≒Ｓ５０、Ｓ１２＞Ｓ５０としても良い。
【００５２】
（実施形態４）
図６は実施形態４の概念を示す。図６は図４におけるＶＩ−ＶＩ線に沿った断面を模式的に示す。本実施形態は前記した実施形態３と基本的には同様の構成、同様の作用効果を有する。以下、相違する部分を中心として説明する。図６に示すように、断面において、温度調整要素５のうち複数個に分岐された温度調整通路５０は、それぞれ四角形状をなしており、一辺としての短辺５０ｍおよび他辺としての長辺５０ｎを有する。温度調整通路５０の長辺５０ｎの両側には第１通路１の分岐通路１２が配置されている。第１通路１の分岐通路１２は、温度調整通路５０を挟むように配置されている。第１通路１の分岐通路１２の断面形状は、四角形状をなしており、短辺１２ｍおよび長辺１２ｎを有する。第１通路１の分岐通路１２および第２通路２は、浸透隔壁３により仕切られている。
【００５３】
（実施形態５）
図７は実施形態５の要部を示す。本実施形態は、吸収式ヒートポンプシステムの再生器（濃縮器）に適用したものであり、前記した実施形態１，２と基本的には同様の構成、同様の作用効果を有するため、図１〜図３を準用できる。以下、相違する部分を中心として説明する。温度調整要素５の入口５１は、車両のエンジン６０の排気ポートに繋がる排気ガス通路６９に繋がる。エンジン６０から高温（例えば３００〜９５０℃）の排気ガスが流れると、排気ガスは、温度調整媒体として排気ガス通路６９を介して入口５１から温度調整通路５０に流れ、第１通路１の吸収液７０を加熱させ、その後、出口５３から放出される。
【００５４】
（実施形態６）
図８は実施形態６の要部を示す。本実施形態は、吸収式ヒートポンプシステムの吸収器（希釈器）に適用したものであり、前記した実施形態３，４と基本的には同様の構成、同様の作用効果を有するため、図４〜図６を準用できる。以下、相違する部分を中心として説明する。温度調整要素５は空冷式である。すなわち、本装置は走行可能な車両の前部に配置されており、走行時に発生する風を入口５１から温度調整通路５０に供給させ得るように、複数個の通風用の入口５１が温度調整通路５０の前部に対面するように形成されている。更に、複数個の通風用の出口５３が温度調整通路５０の後部に対面するように形成されている。車両走行時に温度調整通路５０に空気が流れ、吸収液７０は空冷される。吸収液７０は水分子７３を吸収するときに発熱して加熱されるが、吸収液７０は空冷されるため、過剰高温化が抑えられる。よって水分子７３を吸収させる性能を長時間にわたり良好に確保できる。
【００５５】
（実施形態７）
図９は実施形態７の要部を示す。本実施形態は、吸収式ヒートポンプシステムの再生器（濃縮器）に適用したものであり、前記した実施形態１，２と基本的には同様の構成、同様の作用効果を有するため、図１〜図３を準用できる。以下、相違する部分を中心として説明する。再生器において、第１通路１の分岐通路１２においてこれの上流領域１２ｕから下流領域１２ｄに向けて矢印Ａ１方向に吸収液は流れる。ここで、分岐通路１２においてこれの下流領域１２ｄでは、これの上流領域１２ｕよりも、第１通路１の吸収液７０から第２通路２に吐出された水分子７３の量は増加している。このため浸透隔壁３のうち下流領域３ｄを流れる吸収液７０の濃度は相対的に高く、吸収液７０の粘性が相対的に高くなる傾向がある。この場合、吸収液７０の如何によっては、また、分岐通路１２の流路断面積の如何によっては、浸透隔壁３の下流領域３ｄを流れる吸収液７０の流過抵抗が相対的に高くなる場合がある。
【００５６】
そこで本実施形態によれば、吸収液７０を流す第１通路１の分岐通路１２の流路断面積について、図９に示すように、下流領域１２ｄは上流領域１２ｕよりも増加するように設定されている。具体的には、浸透隔壁３においてこれの上流領域３ｕから下流領域３ｄに向かうにつれて、すなわち、分岐通路１２の上流領域１２ｕから下流領域１２ｄに向かうにつれ、分岐通路１２の流路断面積が次第に増加するように設定されている。これにより吸収液７０の臭化リチウム濃度が高くなっても、あるいは、搬送要素１９の搬送能力を過剰に大きくせずとも、吸収液７０の流動性が良好に確保される。搬送要素１９の小型化に貢献できる。
【００５７】
（実施形態８）
図１０は実施形態８を示す。本実施形態は、吸収式ヒートポンプシステムの吸収器（希釈器）に適用したものであり、前記した実施形態３，４と基本的には同様の構成、同様の作用効果を有するため、図４〜図６を準用する。以下、相違する部分を中心として説明する。この吸収器においては、第１通路１の分岐通路１２に着目すると、分岐通路１２の上流領域１２ｕでは、第２通路２から第１通路１に流入された水分子７３の量が相対的に低い。これに対して分岐通路１２の下流領域１２ｄでは、第２通路２から第１通路１の吸収液７０に流入された水分子７３の量は相対的に増加し、希釈化が進行している。このため、上流領域１２ｕにおいては吸収液７０の濃度は相対的に高い。これに対して、下流領域１２ｄにおいては、吸収液７０の希釈化が進行しており、吸収液７０の粘性は相対的に低くなり、吸収液７０の流過抵抗が相対的に低い。
【００５８】
そこで本実施形態によれば、吸収液７０を流す分岐通路１２の流路断面積について、図１０に示すように、上流領域１２ｕは下流領域１２ｄよりも増加するように設定されている。具体的には、下流領域１２ｄから上流領域１２ｕに向かうにつれて、分岐通路１２の流路断面積が次第に増加するように設定されている。これにより吸収液７０の臭化リチウム濃度が高くなっても、あるいは、搬送要素１９Ｂの搬送能力を過剰に大きくせずとも、吸収液７０の流動性が良好に確保される。搬送要素１９Ｂの小型化に貢献できる。
【００５９】
（実施形態９）
図１１は実施形態９を示す。本実施形態は前記した実施形態と基本的には同様の構成および同様の作用効果を有する。吸収式ヒートポンプ装置（吸収式冷凍機）１００は、水蒸気を冷却部で冷却させて凝縮させる凝縮室１１１を有する凝縮器１１０と、高真空状態に維持される蒸発室１２１をもつ蒸発器１２０と、吸収器１３０と、再生器１４０とを有する。吸収器１４０は、吸収液７０が供給される第１通路１と水蒸気室となる第２通路２とを仕切る浸透隔壁３をもつ。再生器１３０は、吸収液７０が供給される第１通路１と水蒸気室となる第２通路２とを仕切る浸透隔壁３をもつ。再生器１４０と吸収器１３０とを繋ぐ吸収液供給路１５０，１５５が設けられている。蒸発器１２０の蒸発室１２１と吸収器１３０の第２通路２とを繋ぐ水蒸気供給路１６０が設けられている。
【００６０】
図１１に示すように、再生器１４０から流路１７０を介して凝縮器１１０の凝縮室１１１に供給された水蒸気は、凝縮器１１０の冷却部１１２で冷却され、ひいては凝縮され、液相状の凝縮水を形成する。このとき凝縮潜熱（発熱作用）が得られる。凝縮器１１０で形成された液相状の凝縮水は、流路１８０を介して蒸発器１２０の蒸発室１２１に移動する。液相状の凝縮水は、蒸発器１２０の高真空状態の蒸発室１２１において水蒸気となる。このように蒸発器１２０では、凝縮器１１０で形成された液相水を蒸発させて水蒸気を形成させる。このとき蒸発潜熱（吸熱作用）が得られる。蒸発潜熱は、空調器の冷房作用として利用できる。蒸発器１２０の蒸発室１２１で蒸発された水蒸気は、水蒸気供給路１６０を介して水分子流通口２１から吸収器１３０の第２通路２に流入する。吸収器１３０の第２通路２に流入した水分子７３（Ｈ２Ｏ）は、浸透隔壁３の細孔３０を透過して吸収器１３０の第１通路１の吸収液７０に吐出される。これにより第１通路１の吸収液７０が水分子（水）で希釈される。このとき、水分子の吸収に伴い吸収液５は発熱するが、吸収器１３０の冷却用の温度調整要素５Ｃにより適温域に冷却される。冷却用の温度調整要素５Ｃとしては空冷方式、液冷方式等が例示される。
【００６１】
上記したように吸収器１３０で希釈された吸収液７０は、吸収液供給路１５０からポンプ１５２（搬送要素）により、再生器１４０の第１通路１に供給される。再生器１４０の第１通路１に供給された希釈された吸収液７０は、加熱用の温度調整要素５により加熱される。この結果、再生器１４０の第１通路１の吸収液７０に含まれる水は、水分子７３（Ｈ２Ｏ）として、再生器１４０の浸透隔壁３の細孔３０を介して再生器１４０の第２通路２に吐出される。この結果、再生器１４０の第１通路１の吸収液７０は濃縮される。濃縮された吸収液７０は、重力または図略のポンプ等の搬送要素により吸収液供給路１５５を介して吸収器１３０の第１通路１に帰還する。加熱用の温度調整要素５としては、排気ガス加熱方式、加熱流体で加熱する方式、ヒータ方式が挙げられる。
【００６２】
再生器１４０の第２通路２に向けて吐出された水分子７３（Ｈ２Ｏ）は、前述したように、流路１７０から凝縮器１１０の凝縮室１１１に供給され、凝縮室１１１において凝縮されて凝縮水を生成させる。吸収液は臭化リチウムまたはヨウ化リチウムが例示される。このように吸収式ヒートポンプ装置では、凝縮器１１０で凝縮熱が得られるため、発熱作用が得られる。また、蒸発器１２０では、蒸発潜熱により吸熱作用が得られるため、冷却作用が得られる。なお図１１に示す吸収式ヒートポンプシステムに適用したとき、水分子７３が自然に移動する場合には、図１に示す吸引部２４、供給部２４Ｂを廃止することもできる。
【００６３】
（その他）
図１に示す実施形態において、第２通路２の水分子を第２通路２から排出させる吸引部２４が設けられているが、吸引部２４を設けることなく、自然通風または強制通風により、第２通路２の水分子を第２通路２から排出させる構造としても良い。加熱用の温度調整要素５としては、排気ガスまたはエンジン冷却水等に限定されず、電気ヒータでも良い。冷却用の温度調整要素としては、走行風に限らず、送風ファンによる送風でも良い。吸収液７０および加熱流体５６を基本的には同じ方向に流しても良いし、反対方向に流しても良い。吸収液７０および冷却流体５８を基本的には同じ方向に流しても良いし、反対方向に流しても良い。分岐通路１２、温度調整通路５０および第２通路２の断面形状は特に限定されるものではなく、適宜設定できる。図１に示す実施形態によれば、第１通路１の吸収液７０を加熱させる温度調整要素５が設けられているが、場合によっては、浸透隔壁３における水分子７３の浸透効率は低下するものの、吸収液７０を加熱させる温度調整要素５を廃止しても良い。図４に示す実施形態によれば、第１通路１の吸収液７０を冷却させる温度調整要素５が設けられているが、場合によっては、吸収液の吸収速度が遅い場合には、吸収液７０を冷却させる温度調整要素５を廃止しても良い。本発明は上記し且つ図面に示した実施形態のみに限定されるものではなく、要旨を逸脱しない範囲内で適宜変更して実施できる。
【産業上の利用分野】
【００６４】
本発明は例えば車両用、産業機器用の吸収式ヒートポンプ装置に適用できる。
【符号の説明】
【００６５】
１は第１通路、１０は第１通路入口、１１は第１通路出口、１２は分岐迂路、１９は搬送要素、２は第２通路、２１は蒸気口、３は浸透隔壁、３０は細孔、４は基体、４１は第１区画壁、４２は第２区画壁、５は温度調整要素、５０は温度調整通路、５６は加熱流体（温度調整媒体）、５８は冷却流体（温度調整媒体）、６０はエンジン（排熱部）、７０は吸収液を示す。
【図１】
2011169537.tif 000003
【図２】
2011169537.tif 000004
【図３】
2011169537.tif 000005
【図４】
2011169537.tif 000006
【図５】
2011169537.tif 000007
【図６】
2011169537.tif 000008
【図７】
2011169537.tif 000009
【図８】
2011169537.tif 000010
【図９】
2011169537.tif 000011
【図１０】
2011169537.tif 000012
【図１１】
2011169537.tif 000013